(57)【要約】      （修正有）【課題】部品点数を削減すると共に配線側端子の接続作業の工数を減らした押しボタン式スイッチ装置を提供する。【解決手段】プッシュスイッチ１を、スイッチケースの下端部側に一体に設けられた接続用ケース部３ｂと、この接続用ケース部内に垂設された複数の雄型のスイッチ側端子３ｃと、前記接続用ケース部に挿脱可能に挿入される挿入部４ａと、外部配線に接続され前記挿入部に設けたところの当該挿入部を前記接続用ケース部に挿入した際に前記複数のスイッチ側端子を着脱可能に受け入れる複数の雌型の配線側端子と、この配線側端子を前記スイッチ側端子に取り付けた際に両者をロックするロック手段とから成り、このロック手段を前記接続用ケース側に設けた固定係止突起部と、前記挿入部側に揺動可能に設けられたところの当該挿入部を前記接続用ケース部へ挿入した際に前記固定係止突起部と係合する可動係止部材とで構成した。【選択図】図５
2020047386.tif 000002
【特許請求の範囲】
【請求項１】
スイッチ本体の下部側に一体に設けられた接続用ケース部と、この接続用ケース部内に垂設された複数の雄型のスイッチ側端子と、前記接続用ケース部に着脱可能に挿入される挿入部と、外部配線に接続され前記挿入部に設けたところの前記挿入部を前記接続用ケース部に挿入した際に前記複数のスイッチ側端子を着脱可能に受け入れる複数の雌型の配線側端子と、この配線側端子を前記スイッチ側端子に取り付けた際に前記スイッチ側端子と配線側端子をロックするロック手段とから成り、このロック手段を前記接続用ケース側に設けた固定係止突起部と、前記挿入部側に揺動可能に設けられたところの当該挿入部を前記接続用ケース部へ挿入した際に前記固定係止突起部と係合する可動係止突起部を有する可動係止部材とで構成したことを特徴とするプッシュスイッチ。
【請求項２】
前記ロック手段の可動係止部材は、前記挿入部の外側に設けられ、前記固定係止突起部と係合する可動係止突起部と、この可動係止突起部の下方に設けられた指押し部と、この指押し部と前記可動係止突起部との間に設けられ前記挿入部に接続された支持部とを有し、前記可動係止突起部は前記指押し部を押すことにより、前記支持部を支点にして前記固定係止突起部から離脱する方向へ揺動可能であることを特徴とする、請求項１に記載のプッシュスイッチ。
【請求項３】
前記ロック手段は、さらに前記接続用ケース部側に設けられた、前記可動係止部材を案内するガイド溝部を有することを特徴とする、請求項２に記載のプッシュスイッチ。
【請求項４】
請求項１〜３のいずれか１項に記載のプッシュスイッチが着脱可能に取り付けられていることを特徴とする、押しボタン式スイッチ。
【請求項５】
請求項４に記載の押しボタン式スイッチが着脱可能に取り付けられていることを特徴とする、操作盤。
【発明の詳細な説明】
【技術分野】
【０００１】
本発明は、プッシュスイッチ、並びにこのプッシュスイッチを用いた押しボタン式スイッチ、並びにこの押しボタン式スイッチを用いた家庭用ゲーム機や業務用ゲーム機などの各種ゲーム機の操作盤に関する。
【背景技術】
【０００２】
プッシュスイッチも一種の押しボタン式スイッチであるが、以下の説明では、主として各種ゲーム機の操作盤に用いられるものを押しボタン式スイッチと呼び、この押しボタン式スイッチに用いられるスイッチをプッシュスイッチと呼ぶことにする。従来、このプッシュスイッチの中には、下記した特許文献１〜３に記載されているように、スイッチケースから下方へ２本のスイッチ側端子を垂下させたものが知られている。このような構成のプッシュスイッチは、その構成は特許文献１〜３に記載のものとは形態が異なるが、家庭用テレビゲーム機や業務用テレビゲーム機などの各種ゲーム機の操作盤に用いられる押しボタン式スイッチに多用されている。その理由は、前記操作盤に用いられる押しボタン式スイッチは、乱暴に扱われ、かつ強い力で連打されるため、それなりの押しボタン部の大きさと形状と強度を必要とすることと、操作盤上の狭い面積に複数の押しボタン式スイッチが隣接して設けられており、これらの押しボタン式スイッチのスイッチ側端子にはそれぞれ配線側端子が接続され、この配線側端子に接続した各ハーネスは束ねられて外部に設けた制御回路に向けて導出されるため、ハーネスが互いの配線側端子の接続作業の邪魔にならないようにする必要があったためと思われる。
【０００３】
そして、スイッチ側端子に配線側端子を接続するに当たっては、２本のスイッチ側端子に対し、それぞれ２本の配線側端子を用い、両者を現場で一つ一つかしめて接続したり、或は半田付けで接続するなどして手間のかかる接続作業を行っていたのが実情であった。
【先行技術文献】
【特許文献】
【０００４】
【特許文献１】特開２０１４−１８５３４号公報
【特許文献２】特開昭６３−１３８６１９号公報
【特許文献３】特開昭５８−１９８８０４号公報
【発明の概要】
【発明が解決しようとする課題】
【０００５】
上述したプッシュスイッチ、並びにこのプッシュスイッチを用いた押しボタン式スイッチ、並びにこの押しボタン式スイッチを用いた家庭用テレビゲーム機や業務用テレビゲーム機などの各種のゲーム機の操作盤にあっては、上述したように１個のプッシュスイッチに設けられた２本のスイッチ側端子ごとに、２本の配線側端子が準備され、接続作業において各配線側端子を各スイッチ側端子に差し込んでかしめたり、半田付けしたりする等の接続作業が２回必要であるため、この接続作業に時間と手間を要し、製造コストが高くなるという問題があった。
【０００６】
そこで、この接続作業が容易となるような構造のプッシュスイッチが求められているが、接続作業が容易となっても、このプッシュスイッチが上記した各種ゲーム機の操作盤に用いる押しボタン式スイッチの場合には、押しボタンがかなり強い力で連打され、乱暴に取り扱われることから、その衝撃で接続部分が外れてしまわないように工夫する必要もあった。
【０００７】
さらに、操作盤は、梱包時や持ち運び時に嵩張らないようにするために、極力薄型化することも求められているが、従来公知のスイッチ側端子と配線側端子の接続手段では、どうしても高さ方向に長さが長くなるため、操作盤の薄型化にも限界があった。
【０００８】
そこで、本発明の目的は、プッシュスイッチのスイッチ側端子に対する配線側端子の接続作業を容易として製造コストを下げ、接続後に配線側端子がスイッチ側端子から容易には離脱しないように工夫し、さらに高さ方向の長さも短縮できて操作盤を薄型化できるプッシュスイッチ、並びにこのプッシュスイッチを用いた押しボタン式スイッチ、並びにこの押しボタン式スイッチを用いた各種ゲーム機の操作盤を提供せんとするにある。
【課題を解決するための手段】
【０００９】
上記課題を解決するために、本発明の請求項１に係るプッシュスイッチは、スイッチケースの下端部側に一体に設けられた接続用ケース部と、この接続用ケース部内に前記スイッチケースから垂設された複数の雄型のスイッチ側端子と、前記接続用ケース部に挿脱可能に挿入される挿入部と、ハーネスに接続され前記挿入部内に設けたところの当該挿入部を前記接続用ケース部に挿入した際に前記複数のスイッチ側端子を着脱可能に受け入れる複数の雌型の配線側端子と、この配線側端子を前記スイッチ側端子に取り付けた際に前記スイッチケースと前記挿入部をロックするロック手段とから成り、このロック手段を前記接続用ケース側に設けた固定係止突起部と、前記挿入部側に揺動可能に設けられたところの当該挿入部を前記接続用ケース部へ挿入した際に前記固定係止突起部と係合する可動係止部材とで構成したことを特徴とする。
【００１０】
請求項２に係るプッシュスイッチは、前記ロック手段の可動係止部材が、前記挿入部の外側に設けられ、前記固定係止突起部と係合する可動係止突起部と、この可動係止突起部の下方に設けられた指押し部と、この指押し部と前記可動係止突起部との間に設けられ前記挿入部に接続された支持部とを有し、前記可動係止突起部は前記指押し部を押すことにより、前記支持部を支点にして前記固定係止突起部から離脱する方向へ揺動可能であることを特徴とする
【００１１】
請求項３に係るプッシュスイッチは、請求項2に係る前記ロック手段が、さらに前記接続用ケース部側に設けられた、前記可動係止部材を案内するガイド溝部を有することを特徴とする。
【００１２】
請求項４に係る押しボタンスイッチは、請求項１〜３のいずれか１項に記載のプッシュスイッチが着脱可能に取り付けられていることを特徴とする。
【００１３】
請求項５に係る操作盤は、請求項４に記載の押しボタン式スイッチが着脱可能に取り付けられていることを特徴とする。
【発明の効果】
【００１４】
本発明の請求項１に係るプッシュスイッチによれば、そのスイッチ側コネクタに配線側コネクタをワンタッチで接続でき、組み立て工数と時間を節約することができた上に、さらに押しボタン式スイッチの高さ寸法を短くでき、その上ロック手段によってスイッチ側端子と配線側端子の接続が容易に離脱してしまわないようにすることができるものである。
【００１５】
請求項２に係るプッシュスイッチによれば、揺動可能に挿入部に対して設けられた可動係止部材の可動係止突起部が接続ケース部側に設けられた固定係止突起部との間の係合状態を解除できるので、スイッチ側コネクタから配線側コネクタを容易に取り外すことができるものである。
【００１６】
請求項３に係るプッシュスイッチによれば、固定係止突起部と係合状態にある可動係止部材の係合状態が安定するという効果がある。
【００１７】
請求項４に係る押しボタン式スイッチによれば、部品点数を省略できた上で、スイッチ側コネクタのスイッチ側端子に対する配線側コネクタの配線側端子の接続作業をワンタッチで行うことができることから、組み立て工数と組み立て時間を省略することができるものである。
【００１８】
請求項５に係る各種ゲーム機の操作盤によれば、配線側コネクタのスイッチ側コネクタに対する接続作業が容易となる上に、操作盤の厚さを薄く小型にすることができることから、梱包時やユーザーの持ち運び時に嵩張らなくて済むものである。
【図面の簡単な説明】
【００１９】
【図１】本発明に係るプッシュスイッチの一部分解斜視図である。
【図２】図１のプッシュスイッチにおいてスイッチ側端子に対して配線側端子が挿入された状態の説明図であって、（ａ）は正面図、（ｂ）は（ａ）のＡ−Ａ線側面図、(ｃ)は（ａ）の底面図、（ｄ）は（ａ）のＢ−Ｂ線断面図である。
【図３】図１のプッシュスイッチにおける配線側端子をスイッチ側端子対して接続解離させる際の説明図であって、（ａ）は接続前の状態、（ｂ）は接続途中の状態、（ｃ）はロック手段による係合直前の状態をそれぞれ表している。
【図４】本発明に係るプッシュスイッチを用いた同じく本発明に係る押しボタン式スイッチの一部分解斜視図である。
【図５】本発明に係るプッシュスイッチを用いた同じく本発明に係る押しボタン式スイッチ全体を斜め下方から見た分解斜視図である。
【図６】本発明に係るプッシュスイッチを用いた同じく本発明に係る押しボタン式スイッチを正面から見た部分断面図である。
【図７】本発明に係るプッシュスイッチを用いたところの、同じく本発明に係る押しボタン式スイッチを側面から見た部分断面図である。
【図８】本発明に係るプッシュスイッチを用いたところの、同じく本発明に係る押しボタン式スイッチを取り付けた操作盤の斜視図である。
【図９】図８に示した操作盤の底面図であり、ハーネスを省略してある。
【図１０】本発明に係る押しボタン式スイッチを操作盤へ取り付けた状態を説明する部分断面図である。
【図１１】図１０に示した押しボタン式スイッチが高さ方向の長さを省略できることを説明するためのもので、（ａ）は従来公知の押しボタン式スイッチの例を示し、（ｂ）は本発明に係る押しボタン式スイッチの例を示している。
【発明を実施するための形態】
【００２０】
以下、本発明の実施の形態を、添付した図面に基づいて詳細に説明する。以下の説明では、家庭用テレビゲーム機の操作盤へ取り付けられる押しボタン式スイッチに用いられるプッシュスイッチ、並びにこのプッシュスイッチを用いた押しボタン式スイッチ、並びにこの押しボタン式スイッチを用いたとくに家庭用テレビゲーム機の操作盤を例に挙げて説明するが、本発明に係るプッシュスイッチ、並びにこのプッシュスイッチを用いた押しボタン式スイッチ、並びにこの押しボタン式スイッチを用いた操作盤は、家庭用テレビゲーム機のものに限定されず、業務用のテレビゲーム機、その他の各種ゲーム機に用いられるプッシュスイッチ、並びにこのプッシュスイッチを用いた押しボタン式スイッチ、並びにこの押しボタン式スイッチを用いた操作盤にも適用される。さらに、本発明に係るプッシュスイッチは、押しボタン式スイッチに光源（例えば発光ダイオード）と光拡散レンズを加えた照光式押しボタンスイッチにも用いることができる。
【実施例１】
【００２１】
本発明に係るプッシュスイッチ１は、図１〜図３に示すように、平面略矩形状を呈した合成樹脂製のスイッチ本体部２と、このスイッチ本体部２に設けられたスイッチ側コネクタ３と、このスチッチ側コネクタ３とは別体に設けられ、スイッチ側コネクタに接続される配線側コネクタ４とで構成されている。周知のため内部構造とその説明を省略したスイッチ本体部２の上部側には、図示してないスプリングにより上方へスライド付勢されて押しボタン部２ａが設けられ、その上端部両側からはフランジ部２ｃ、２ｃが突設されると共に、このフランジ部２ｃ、２ｃの下方に位置させて弾性を付与された係止片２ｄ、２ｄが揺動可能に設けられている。尚、実施例のものは、押しボタン部２ａの上部に突片部２ｂが突設されているが、これは実施例に係るプッシュスイッチ１が、後述する実施例２の押しボタン式スイッチ１０に用いるものであることから、この押しボタン式スイッチ１０の押しボタン部材の取付角筒部１２ａへこの突片部２ｂを装着させるためのものである。本発明に係るプッシュスイッチ１が他の用途に用いられる場合には、不要となる場合がある。
【００２２】
スイッチ側コネクタ３は、スイッチ本体部２から下方に一体に形成されたところの上下方向に平断面略凹形状を呈した挿入穴部３ａを設けた合成樹脂製の接続用ケース部３ｂと、この接続用ケース部３ｂ内にスイッチ本体部２側から所定間隔を空けて垂下されところのピン状を呈した一対のスイッチ側端子３ｃ、３ｃと、接続用ケース部３ｂの前側を構成する前側壁部３ｄの中央部に上下方向に設けたガイド溝３ｅ内に設けられた固定係止突起部３ｆと、を有している。接続用ケース部３ｂの前側壁部３ｄの下端部は、両側側壁部３ｇ、３ｇ及び後側壁部３ｈに対して少し長めに形成されており、両側側壁部３ｇ、３ｇと後側壁部３ｈの下端部は揃えられて形成されている。さらに、前側壁部３ｄの両側からは下端部よりスイッチ本体部２に向けて左右方向の外側に広がる第１補強板部３ｉ、３ｉが設けられ、後側壁部３ｈの両側からは後方に向けてスイッチ本体部２の底部後端部に向けて広がる一対の第２補強板部３ｋ、３ｋが設けられている。
【００２３】
配線側コネクタ４は、平面から見て略凹形状の挿入穴部３ａに対し略凹形状を呈した合成樹脂製の挿入部４ａと、この挿入部４ａ内に前記スイッチ側端子３ｃ、３ｃに対し同じ間隔で埋め込まれ、その各先端部を挿入部４ａの上端面に露出させて成る筒状を呈した一対の配線側端子４ｂ、４ｂと、この各配線側端子４ｂ、４ｂに接続されて挿入部４ａの外側に導出されたハーネス４ｃ、４ｃと、挿入部４ａの前側に位置して両側に後述する支持部５ａ、５ａを挿入部４ａ側に接続された状態で、上下方向に渡って揺動可能に設けられたところの同じく合成樹脂製の可動係止部材５を有している。この可動係止部材５は上部に可動係止突起部５ｂが設けられ、下部側に指押し部５ｃが設けられると共に、この可動係止突起部５ｂと指押し部５ｃとの間の両側に支持部５ａ、５ａが設けられている。さらに可動係止部材５の支持部５ａ、５ａを挟んで上側の可動係止突起部５ｂ側は幅が狭く形成され、下側の指押し部５ｃの部分は幅が広く形成されている。また、各支持部５ａ、５ａの部分は、配線側コネクタ４の挿入部４ａをスイッチ側コネクタ３の接続用ケース部３ｂの挿入穴部３ａへ挿入した際に接続用ケース部３ｂの後側壁部３ｈの下端部に当接するストッパー部を兼ねている。
【００２４】
したがって、スイッチ側コネクタ３に配線側コネクタ４を接続する場合には、スイッチ本体部２側を一方の手で持ち、配線側コネクタ４の挿入部４ａ側を他方の手で持って、挿入部４ａ側の可動係止部材５の側を接続用ケース部３ｂ側の固定係止突起部３ｆの側に合わせ、先端を接続用ケース部３ｂ側の挿入穴部３ａに当てがい、上方へ支持部５ａ、５ａが後側壁部３ｈの下端部に当たるまで押し込むと、スイッチ側端子３ｃ、３ｃが配線側端子４ｂ、４ｂに圧入され、配線側コネクタ４のスイッチ側コネクタ２対する接続がワンタッチで完了することになる。同時に挿入部４ａの挿入穴部３ａへの挿入時には、可動係止部材５の可動係止突起部５ｂがガイド溝部３ｅ内に挿入されつつ挿入部４ａの前側壁部３ｄの間に挿入され、可動係止突起部５ｂが固定係止突起部３ｆに当たることによって逃げつつ挿入されることになり、可動係止突起部５ｂが固定係止突起部３ｆを乗り越えて元位置に戻りつつ固定係止突起部３ｆと係合することになる。この可動係止部材５と固定係止突起部３ｆとによりロック手段６が構成され、このロック手段６により、スイッチ側コネクタ３と配線側コネクタ４は互いに接続された状態でロックされることになる。
【００２５】
この挿入部４ａの接続用ケース部３ｂ側への挿入時には、挿入部４ａの先端を後側壁３ｈの先端にあてがって前側壁部３ｄの内側へ押し当てた後上方へ押すと、より挿入しやすい効果が期待できる。挿入部４ａの挿入穴部３ａへの挿入をより容易に行うに当たっては、例えば挿入穴部３ａの下端部分の口径を少し広くするか、ガイド傾斜部を設けるという方法もあろう。
【００２６】
次に、何らかの理由で配線側コネクタ４をスイッチ側コネクタ３から外す必要が出た場合には、ロック手段６の可動係止部材５の指押し部５ｃの部分を指で押すと、支持部５ａ、５ａを支点に可動係止突起部５ｂが外側に揺動して可動係止突起部５ｂと固定係止突起部３ｆの間の係合が外れるので、挿入部４ａを下方に引っ張ることにより、当該挿入部４ａがスイッチ側コネクタ３の挿入穴部３ａから外れ、スイッチ側コネクタ３から配線側コネクタ４を取り外すことができるものである。
【実施例２】
【００２７】
図４乃至図７は、例えば家庭用テレビゲームの操作盤に用いる本発明に係る押しボタン式スイッチ１０の詳細な構成を示す。この押しボタン式スイッチ１０のプッシュスイッチ１のスイッチ側コネクタ３と配線側コネクタ４の部分を除いたスイッチ本体部２は、本出願人が出願した特開平２０１４−１８５３４号公報に示されているように、公知構成のものであるからその詳細な説明は省略する。図面によれば、本発明に係る押しボタン式スイッチ１０は、丸筒状を呈したフランジ部１１ａ付のケース本体１１と、このケース本体１１の底板１１ｂに装着された本発明に係る実施例１のプッシュスイッチ１と、ケース本体１１内に上下方向へ摺動可能に収装された筒状の押しボタン部材１２とで構成されている。プッシュスイッチ１の押しボタン部２ａの突片部２ｂは、押しボタン部材１２の内部に垂下させた取付角筒部１２ａに挿入固定されている。
【００２８】
押しボタン部材１２は、プッシュスイッチ１の押しボタン部２ａに付与されている弾力により、上方へスライド付勢されている。押しボタン部材１２を押し込むと、押しボタン部２ａが共に下降してスイッチ本体部２内に設けられている接点がＯＮされるか、ＯＦＦされ、手を放すと押しボタン部２ａに作用している弾力により元位置に復帰するものである。押しボタン部材１２の押し込み時には、当該押しボタン部材１２の下端部１２ｄがケース本体１１の底板１１ｂに敷設されたクッション材１３に当接して下降が阻止される。ケース本体１１には、その両側部に係止長孔１１ｃ、１１ｃが設けられ、通常時にはこの係止長孔１１ｃ、１１ｃへ押しボタン部材１２の側部に弾性を付与されて揺動可能に設けられた一対の係止片１２ｂ、１２ｂが、その先端に設けた係止部１２ｃ、１２ｃを係止させていることにより、押しボタン部材１２は、ケース本体１１から上方へ抜け出てくることはない。押しボタン部材１２を押し込むと係止部１２ｃ、１２ｃの部分が係止長孔１１ｃ、１１ｃ内をスライドしてその下降を許容する。
【００２９】
実施例２に記載の押しボタン式スイッチ１０に用いられているプッシュスイッチ１の構成は、実施例１に記載したものと同じであるので、さらなる詳しい説明を省略する。指示記号の同じものは実施例１と同じ部材を示している。
【００３０】
次に、プッシュスイッチ１を押しボタン式スイッチ１０へ組み込む際には、押しボタン部材１２の係止片１２ｃ、１２ｃをケース本体１１の係止長孔１１ｃ、１１ｃから内側へ押し込んで押しボタン部材１２をケース本体１１から上方へ取り外し、次いで、プッシュスイッチ１の接続用ケース部３ｂをスイッチ側コネクタ３の側を下側にしてケース本体１１内へ上側から挿入させ、その底板１１ｂに設けた矩形状の取付孔１１ｄに接続用ケース部３ｂをあてがって押し込むと、プッシュスイッチ１に設けた係止片２ｄ、２ｄが内側に逃げつつスイッチ本体部２が取付孔１１ｄへ押し込まれ、フランジ部２ｃ、２ｃ・・の部分が取付孔１１ｄに突き当たることにより停止し、同時に係止片２ｄ、２ｄの係止部２ｅ、２ｅがフランジ部２ｃ、２ｃ・・との間で底板１１ｂを挟み込んで、プッシュスイッチ１のスイッチ本体部２がスイッチ側コネクタ３を下方へ突出させつつケース本体１１の取付孔１１ｄに係止固定される。
【００３１】
次いで、実施例１に説明したように、スイッチ側コネクタ３に配線側コネクタ４を挿入させると、ワンタッチで配線側コネクタ４をスイッチ側コネクタ３へ接続でき、本発明に係るプッシュスイッチ１を用いた本発明に係る押しボタン式スイッチ１０が完成する。
【実施例３】
【００３２】
次に、図８乃至図１０は、本発明に係るプッシュスイッチ１を用いた押しボタン式スイッチ１０を取り付けた家庭用ゲーム機の操作盤１５を示す。図面によれば、操作盤１５は、ＵＳＢコネクタ１６を有し、このＵＳＢコネクタ１６は、不図示のゲーム機本体、又はゲームソフトをインストールしたコンピュータのＵＳＢ端子に接続される。テレビゲーム機やパソコンを用いてゲームを楽しむゲーム者は、操作盤１５の上面に配置された複合操作スイッチ１７や本発明に係る押しボタン式スイッチ１０、１０・・、さらにはその他の操作スイッチ１８、１９などを操作することにより、テレビ受像機又はディスプレイに映し出されたゲームの画像を操作してゲームを実行するものである。
【００３３】
操作盤１５は、ほぼ全体が硬質の合成樹脂製であって、上側の装甲板１５ａの上面に、揺動及び又は回転可能な操作レバー１７ａを有する上記複合操作スイッチ１７と共に、本発明に係るプッシュスイッチ１を用いた同じく本発明に係る上記押しボタン式スイッチ１０、１０・・・が、狭い領域に複数個隣接して取り付けられている。
【００３４】
実施例３の操作盤１５へ実施例２に記載の本発明に係る押しボタン式スイッチ１０を組み込む際には、押しボタン式スイッチ１０のスイッチ側コネクタ３から、配線側コネクタ４が外されている状態にして、操作盤１５の装甲板１５ａに設けた取付孔１５ｂへ、プッシュスイッチ１のスイッチ側コネクタ３が取り付けられたケース本体１１を取付孔１５ｂの上側から挿入して押し込むと、図１０に示したように、ケース本体１１の係止片１１ｆ、１１ｆの係止部１１ｅ、１１ｅは内側に逃げつつ挿入され、ケース本体１１のフランジ部１１ａが取付孔１５ｂに当たって挿入が停止される。同時に係止片１１ｆ、１１ｆが元位置に戻って係止部１１ｅ、１１ｅが装甲板１５ａをフランジ部１１ａとの間で挟み込み、図６に示したように、上方への抜け出しを阻止された状態で、装甲板１５ａへ取り付けられる。
【００３５】
次いで、このようにして装甲板１５ａへ組み込まれた各押しボタン式スイッチ１０、１０・・に予め組み込まれているスイッチ側コネクタ３，３・・に対し、上記したように配線側コネクタ４、４・・を接続することで、ワンタッチで配線側コネクタ４、４の接続が完了することになるので、従来技術の押しボタン式スイッチに対する配線側端子の接続方法に比べて、操作盤１５の製造コストの削減を図ることができるものである。
【００３６】
とくに家庭用テレビゲーム機の操作盤は、使用しない時の収納スペースの軽減や持ち運び時の嵩張ありを防止するためなどの理由により、薄型化が求められているが、比較例の図１１の（ａ）と（ｂ）に示したように、本発明に係る押しボタン式スイッチ１０は、従来公知構成の配線側コネクタの接続手段と比べて、押しボタン式スイッチの高さ方向の長さを短くすることができることから、操作盤の薄型化にも寄与できるものである。
【００３７】
即ち、図１１（ａ）に示したところの、従来公知構成のプッシュスイッチ２０を用いた押しボタン式スイッチ２１のスイッチ側端子２４、２４に接続された配線側端子２３、２３の下端部から操作盤２２の装甲板２２ａの内頂部までの高さをＨ１とすれば、図１１の(ｂ)に示した実施例１のプッシュスイッチ１を用いた実施例２の押しボタン式スイッチ１０の操作盤１５の装甲板１５ａまでの高さはＨ２であり、一見しただけで短くなっているのが明らかである
【００３８】
したがって、家庭用テレビゲーム機の操作盤１５の厚みを従来の操作盤よりも薄く設計することができる。実施例１のプッシュスイッチ１を用いることで、押しボタン式スイッチ１０の小型化が可能になると共に、従来公知構成のプッシュスイッチ２０を用いた場合には困難であった操作盤１５の薄型化が容易になっている。
【００３９】
さらに、図示を省略するが、本発明に係るプッシュスイッチ１は、公知構成の照光式押しボタンスイッチにも、従来公知構成のプッシュスイッチに変えて用いることができる。
【００４０】
（その他の実施の形態）
本発明のプッシュスイッチ１、並びにこのプッシュスイッチ１を用いた押しボタン式スイッチ１０、並びに操作盤１５は、上述した実施例で説明した具体的な構成及び用途には限定されない。また、上述した各実施例の構成の一部又は全部を等価な構成に置き換えた別の実施形態でも実施可能である。実施例２では、押しボタン式スイッチ１０に組み込まれたプッシュスイッチ１を説明しているが、本発明のプッシュスイッチ１は、押し釦式スイッチ以外の例えば照光式押しボタンスイッチにも実施可能である。
【００４１】
また、実施例では、家庭用のテレビゲーム機の操作盤１５に用いられる押しボタン式スイッチ１０の実施例を説明したが、本発明の押しボタン式スイッチ１０は、業務用のテレビゲーム機の操作盤、ゲームソフトをインストールしたパソコン、その他のゲーム機、その他の各種装置の外付け操作盤もしくは組み込み操作盤としても実施可能である。これらの実施形態では、操作盤の形状や構造は、実施例のものとは異なるものとすることが可能であり、そこに用いられる押しボタン式スイッチの数や取付位置にも変更を加えることが可能である。
【産業上の利用可能性】
【００４２】
本発明は以上のように構成したので、種々の用途に使用されるプッシュスイッチにおいてスイッチ側コネクタと配線側コネクタに工夫を凝らすことにより、配線側コネクタをスイッチ側コネクタにワンタッチでしかも強固に接続できるプッシュスイッチ、並びにこのプッシュスイッチを用いた押しボタン式スイッチ、並びにこの押しボタン式スイッチを用いたとくに家庭用テレビゲーム機の操作盤や業務用テレビゲーム機やその他のゲーム機の操作盤として好適に用いられるものである。
【符号の説明】
【００４３】
１  プッシュスイッチ
２  スイッチ本体部
２ａ  押しボタン部
３  スイッチ側コネクタ
３ａ  挿入穴部
３ｂ  接続用ケース部
３ｆ  固定係止突起部
４  配線側コネクタ
５  可動係止部材
５ｂ可動係止突起部
６  ロック手段
１０  押しボタン式スイッチ
１１  ケース本体
１２  押しボタン部材
１５  操作盤
１５ａ  装甲板
【図１】
2020047386.tif 000003
【図２】
2020047386.tif 000004
【図３】
2020047386.tif 000005
【図４】
2020047386.tif 000006
【図５】
2020047386.tif 000007
【図６】
2020047386.tif 000008
【図７】
2020047386.tif 000009
【図８】
2020047386.tif 000010
【図９】
2020047386.tif 000011
【図１０】
2020047386.tif 000012
【図１１】
2020047386.tif 000013
【手続補正書】
【提出日】令和1年12月2日(2019.12.2)
【手続補正１】
【補正対象書類名】明細書
【補正対象項目名】全文
【補正方法】変更
【補正の内容】
【発明の詳細な説明】
【技術分野】
【０００１】
本発明は、押しボタン式スイッチ並びにこの押しボタン式スイッチを用いた家庭用ゲーム機や業務用ゲーム機などの各種ゲーム機の操作盤に関する。
【背景技術】
【０００２】
プッシュスイッチも一種の押しボタン式スイッチであるが、以下の説明では、主として各種ゲーム機の操作盤に用いられるものを押しボタン式スイッチと呼び、この押しボタン式スイッチに用いられるスイッチをプッシュスイッチと呼ぶことにする。従来、このプッシュスイッチの中には、下記した特許文献１〜２に記載されているように、スイッチケースから下方へ２本のスイッチ側端子を垂下させたものが知られている。このような構成のプッシュスイッチは、その構成は特許文献１〜３に記載のものとは形態が異なるが、家庭用テレビゲーム機や業務用テレビゲーム機などの各種ゲーム機の操作盤に用いられる押しボタン式スイッチに多用されている。その理由は、前記操作盤に用いられる押しボタン式スイッチは、乱暴に扱われ、かつ強い力で連打されるため、それなりの押しボタン部の大きさと形状と強度を必要とすることと、操作盤上の狭い面積に複数の押しボタン式スイッチが隣接して設けられており、これらの押しボタン式スイッチのスイッチ側端子にはそれぞれ配線側端子が接続され、この配線側端子に接続した各ハーネスは束ねられて外部に設けた制御回路に向けて導出されるため、ハーネスが互いの配線側端子の接続作業の邪魔にならないようにする必要があったためと思われる。
【０００３】
そして、スイッチ側端子に配線側端子を接続するに当たっては、２本のスイッチ側端子に対し、それぞれ２本の配線側端子を用い、両者を現場で一つ一つかしめて接続したり、或は半田付けで接続するなどして手間のかかる接続作業を行っていたのが実情であった。
【先行技術文献】
【特許文献】
【０００４】
【特許文献１】特開２０１４−１８５３４号公報
【特許文献２】特開２０１６−１８６３３号公報
【発明の概要】
【発明が解決しようとする課題】
【０００５】
上述した押しボタン式スイッチ並びにこの押しボタン式スイッチを用いた家庭用テレビゲーム機や業務用テレビゲーム機などの各種のゲーム機の操作盤にあっては、上述したように１個の押しボタン式スイッチに設けられた２本のスイッチ側端子ごとに、２本の配線側端子が準備され、接続作業において各配線側端子を各スイッチ側端子に差し込んでかしめたり、半田付けしたりする等の接続作業が２回必要であるため、この接続作業に時間と手間を要し、製造コストが高くなるという問題があった。
【０００６】
そこで、この接続作業が容易となるような構造の押しボタン式スイッチが求められているが、接続作業が容易となっても、この押しボタン式スイッチが上記した各種ゲーム機の操作盤に用いられる場合には、押しボタン部材がかなり強い力で連打され、乱暴に取り扱われることから、その衝撃で接続部分が外れてしまわないように工夫する必要もあった。
【０００７】
さらに、操作盤は、梱包時や持ち運び時に嵩張らないようにするために、極力薄型化することも求められているが、従来公知のスイッチ側端子と配線側端子の接続手段では、どうしても高さ方向に長さが長くなるため、操作盤の薄型化にも限界があった。
【０００８】
そこで、本発明の目的は、押しボタン式スイッチのスイッチ側端子に対する配線側端子の接続作業を容易として製造コストを下げ、接続後に配線側端子がスイッチ側端子から容易には離脱しないように工夫し、さらに高さ方向の長さも短縮できて操作盤を薄型化できる押しボタン式スイッチ並びにこの押しボタン式スイッチを用いた各種ゲーム機の操作盤を提供せんとするにある。
【課題を解決するための手段】
【０００９】
上記課題を解決するために、本発明の請求項１に係る押しボタン式スイッチは、ゲーム機の操作盤に対し着脱可能に取り付けられる筒状を呈したケース本体と、前記ケース本体の上部に押圧可能かつ自動復帰可能に取り付けられる押しボタン部材と、前記ケース本体の底板に取り付けられるプッシュスイッチと、前記プッシュスイッチに設けたスイッチ側コネクタとから成る押ボタン式スイッチにおいて、前記プッシュスイッチのスイッチ側コネクタに設けた接続用ケース部に挿入される挿入部を有し、ロック手段を介してロック及びロック解除可能に接続される接続側コネクタを設け、この接続側コネクタにハーネスを接続させると共に、前記ロック手段を前記接続用ケース側に設けた固定係止突起部と、前記挿入部側に揺動可能に設けられたところの当該挿入部を前記接続用ケース部へ挿入した際に前記固定係止突起部と係合する可動係止部材とで構成したことを特徴とする。
【００１０】
請求項２に係る押しボタン式スイッチは、前記プッシュスイッチを、スイッチ本体の下部側に一体に設けられた接続用ケース部と、この接続用ケース部内に垂設された複数の雄型のスイッチ側端子と、前記接続用ケース部に着脱可能に挿入される挿入部と、外部配線に接続され前記挿入部に設けたところの前記挿入部を前記接続用ケース部に挿入した際に前記複数のスイッチ側端子を着脱可能に受け入れる複数の雌型の配線側端子と、この配線側端子を前記スイッチ側端子に取り付けた際に前記スイッチ側端子と配線側端子をロックするロック手段とから成り、このロック手段を前記接続用ケース側に設けた固定係止突起部と、前記挿入部側に揺動可能に設けられたところの当該挿入部を前記接続用ケース部へ挿入した際に前記固定係止突起部と係合する可動係止突起部を有する可動係止部材とで構成したことを特徴とする。
【００１１】
請求項３に係る押ボタン式スイッチのロック手段の可動係止部材は、挿入部の外側に設けられ、固定係止突起部と係合する可動係止突起部と、この可動係止突起部の下方に設けられた指押し部と、この指押し部と前記可動係止突起部との間に設けられ前記挿入部に接続された支持部とを有し、前記可動係止突起部は、前記指押し部を押すことにより、前記支持部を支点にして前記固定係止突起部から離脱する方向へ揺動可能であると共に、前記固定係止突起部と係合した前記可動係止部材の前記指押し部は、前記ガイド溝部に収容されることなく前記前側壁部よりも突出していることを特徴とする。
【００１２】
請求項４に係る押しボタン式スイッチの前記ロック手段の前記接続ケース部側には、前記可動係止部材を案内するガイド溝部が設けられていることを特徴とする。
【００１３】
請求項５に係る操作盤は、請求項１〜４のいずれか１項に記載の押しボタン式スイッチが、その装甲板に対し着脱可能に取り付けられていることを特徴とする。
【発明の効果】
【００１４】
本発明の請求項１に係る押しボタン式スイッチによれば、そのスイッチ側コネクタに配線側コネクタをワンタッチで接続でき、組み立て工数と時間を節約することができた上に、さらに押しボタン式スイッチの高さ寸法を短くでき、その上ロック手段によってスイッチ側端子と配線側端子の接続が容易に離脱してしまわないようにすることができるものである。
【００１５】
請求項２に係る押しボタン式スイッチのプッシュスイッチによれば、揺動可能に挿入部に対して設けられた可動係止部材の可動係止突起部が接続ケース部側に設けられた固定係止突起部との間の係合状態を解除できるので、スイッチ側コネクタから配線側コネクタを容易に取り外すことができるものである。
【００１６】
請求項３に係る押しボタン式スイッチによれば、固定係止突起部と係合状態にある可動係止部材の係合状態が安定するという効果がある。
【００１７】
請求項４に係る押しボタン式スイッチによれば、部品点数を省略できた上で、スイッチ側コネクタのスイッチ側端子に対する配線側コネクタの配線側端子の接続作業をワンタッチで行うことができることから、組み立て工数と組み立て時間を省略することができるものである。
【００１８】
請求項５に係る各種ゲーム機の操作盤によれば、配線側コネクタのスイッチ側コネクタに対する接続作業が容易となる上に、操作盤の厚さを薄く小型にすることができることから、梱包時やユーザーの持ち運び時に嵩張らなくて済むものである。
【図面の簡単な説明】
【００１９】
【図１】本発明に係るプッシュスイッチの一部分解斜視図である。
【図２】図１のプッシュスイッチにおいてスイッチ側端子に対して配線側端子が挿入された状態の説明図であって、（ａ）は正面図、（ｂ）は（ａ）のＡ−Ａ線側面図、(ｃ)は（ａ）の底面図、（ｄ）は（ａ）のＢ−Ｂ線断面図である。
【図３】図１のプッシュスイッチにおける配線側端子をスイッチ側端子対して接続解離させる際の説明図であって、（ａ）は接続前の状態、（ｂ）は接続途中の状態、（ｃ）はロック手段による係合直前の状態をそれぞれ表している。
【図４】本発明に係るプッシュスイッチを用いた同じく本発明に係る押しボタン式スイッチの一部分解斜視図である。
【図５】本発明に係るプッシュスイッチを用いた同じく本発明に係る押しボタン式スイッチ全体を斜め下方から見た分解斜視図である。
【図６】本発明に係るプッシュスイッチを用いた同じく本発明に係る押しボタン式スイッチを正面から見た部分断面図である。
【図７】本発明に係るプッシュスイッチを用いたところの、同じく本発明に係る押しボタン式スイッチを側面から見た部分断面図である。
【図８】本発明に係るプッシュスイッチを用いたところの、同じく本発明に係る押しボタン式スイッチを取り付けた操作盤の斜視図である。
【図９】図８に示した操作盤の底面図であり、ハーネスを省略してある。
【図１０】本発明に係る押しボタン式スイッチを操作盤へ取り付けた状態を説明する部分断面図である。
【図１１】図１０に示した押しボタン式スイッチが高さ方向の長さを省略できることを説明するためのもので、（ａ）は従来公知の押しボタン式スイッチの例を示し、（ｂ）は本発明に係る押しボタン式スイッチの例を示している。
【発明を実施するための形態】
【００２０】
以下、本発明の実施の形態を、添付した図面に基づいて詳細に説明する。以下の説明では、家庭用テレビゲーム機の操作盤へ取り付けられる押しボタン式スイッチ並びにこの押しボタン式スイッチを用いたとくに家庭用テレビゲーム機の操作盤を例に挙げて説明するが、本発明に係る押しボタン式スイッチ並びにこの押しボタン式スイッチを用いた操作盤は、家庭用テレビゲーム機のものに限定されず、業務用のテレビゲーム機、その他の各種ゲーム機に用いられる押しボタン式スイッチ並びにこの押しボタン式スイッチを用いた操作盤にも適用される。さらに、本発明に係る押しボタン式スイッチに光源（例えば発光ダイオード）と光拡散レンズを加えた照光式押しボタン式スイッチにも用いることができる。
【実施例１】
【００２１】
本発明に係るプッシュスイッチ１は、図１〜図３に示すように、平面略矩形状を呈した合成樹脂製のスイッチ本体部２と、このスイッチ本体部２に設けられたスイッチ側コネクタ３と、このスチッチ側コネクタ３とは別体に設けられ、スイッチ側コネクタに接続される配線側コネクタ４とで構成されている。周知のため内部構造とその説明を省略したスイッチ本体部２の上部側には、図示してないスプリングにより上方へスライド付勢されて押しボタン部２ａが設けられ、その上端部両側からはフランジ部２ｃ、２ｃが突設されると共に、このフランジ部２ｃ、２ｃの下方に位置させて弾性を付与された係止片２ｄ、２ｄが揺動可能に設けられている。尚、実施例のものは、押しボタン部２ａの上部に突片部２ｂが突設されているが、これは実施例に係るプッシュスイッチ１が、後述する実施例２の押しボタン式スイッチ１０に用いるものであることから、この押しボタン式スイッチ１０の押しボタン部材の取付角筒部１２ａへこの突片部２ｂを装着させるためのものである。本発明に係るプッシュスイッチ１が他の用途に用いられる場合には、不要となる場合がある。
【００２２】
スイッチ側コネクタ３は、スイッチ本体部２から下方に一体に形成されたところの上下方向に平断面略凹形状を呈した挿入穴部３ａを設けた合成樹脂製の接続用ケース部３ｂと、この接続用ケース部３ｂ内にスイッチ本体部２側から所定間隔を空けて垂下されところのピン状を呈した一対のスイッチ側端子３ｃ、３ｃと、接続用ケース部３ｂの前側を構成する前側壁部３ｄの中央部に上下方向に設けたガイド溝部３ｅ内に設けられた固定係止突起部３ｆと、を有している。接続用ケース部３ｂの前側壁部３ｄの下端部は、両側側壁部３ｇ、３ｇ及び後側壁部３ｈに対して少し長めに形成されており、両側側壁部３ｇ、３ｇと後側壁部３ｈの下端部は揃えられて形成されている。さらに、前側壁部３ｄの両側からは下端部よりスイッチ本体部２に向けて左右方向の外側に広がる第１補強板部３ｉ、３ｉが設けられ、後側壁部３ｈの両側からは後方に向けてスイッチ本体部２の底部後端部に向けて広がる一対の第２補強板部３ｋ、３ｋが設けられている。
【００２３】
配線側コネクタ４は、平面から見て略凹形状の挿入穴部３ａに対し略凹形状を呈した合成樹脂製の挿入部４ａと、この挿入部４ａ内に前記スイッチ側端子３ｃ、３ｃに対し同じ間隔で埋め込まれ、その各先端部を挿入部４ａの上端面に露出させて成る筒状を呈した一対の配線側端子４ｂ、４ｂと、この各配線側端子４ｂ、４ｂに接続されて挿入部４ａの外側に導出されたハーネス４ｃ、４ｃと、挿入部４ａの前側に位置して両側に後述する支持部５ａ、５ａを挿入部４ａ側に接続された状態で、上下方向に渡って揺動可能に設けられたところの同じく合成樹脂製の可動係止部材５を有している。この可動係止部材５は上部に可動係止突起部５ｂが設けられ、下部側に指押し部５ｃが設けられると共に、この可動係止突起部５ｂと指押し部５ｃとの間の両側に支持部５ａ、５ａが設けられている。さらに可動係止部材５の支持部５ａ、５ａを挟んで上側の可動係止突起部５ｂ側は幅が狭く形成され、下側の指押し部５ｃの部分は幅が広く形成されている。また、各支持部５ａ、５ａの部分は、配線側コネクタ４の挿入部４ａをスイッチ側コネクタ３の接続用ケース部３ｂの挿入穴部３ａへ挿入した際に接続用ケース部３ｂの後側壁部３ｈの下端部に当接するストッパー部を兼ねている。
【００２４】
したがって、スイッチ側コネクタ３に配線側コネクタ４を接続する場合には、スイッチ本体部２側を一方の手で持ち、配線側コネクタ４の挿入部４ａ側を他方の手で持って、挿入部４ａ側の可動係止部材５の側を接続用ケース部３ｂ側の固定係止突起部３ｆの側に合わせ、先端を接続用ケース部３ｂ側の挿入穴部３ａに当てがい、上方へ支持部５ａ、５ａが後側壁部３ｈの下端部に当たるまで押し込むと、スイッチ側端子３ｃ、３ｃが配線側端子４ｂ、４ｂに圧入され、配線側コネクタ４のスイッチ側コネクタ２対する接続がワンタッチで完了することになる。同時に挿入部４ａの挿入穴部３ａへの挿入時には、可動係止部材５の可動係止突起部５ｂがガイド溝部３ｅ内に挿入されつつ挿入部４ａの前側壁部３ｄの間に挿入され、可動係止突起部５ｂが固定係止突起部３ｆに当たることによって逃げつつ挿入されることになり、可動係止突起部５ｂが固定係止突起部３ｆを乗り越えて元位置に戻りつつ固定係止突起部３ｆと係合することになる。この可動係止部材５と固定係止突起部３ｆとによりロック手段６が構成され、このロック手段６により、スイッチ側コネクタ３と配線側コネクタ４は互いに接続された状態でロックされることになる。
【００２５】
この挿入部４ａの接続用ケース部３ｂ側への挿入時には、挿入部４ａの先端を後側壁３ｈの先端にあてがって前側壁部３ｄの内側へ押し当てた後上方へ押すと、より挿入しやすい効果が期待できる。挿入部４ａの挿入穴部３ａへの挿入をより容易に行うに当たっては、例えば挿入穴部３ａの下端部分の口径を少し広くするか、ガイド傾斜部を設けるという方法もあろう。
【００２６】
次に、何らかの理由で配線側コネクタ４をスイッチ側コネクタ３から外す必要が出た場合には、ロック手段６の可動係止部材５の指押し部５ｃの部分を指で押すと、支持部５ａ、５ａを支点に可動係止突起部５ｂが外側に揺動して可動係止突起部５ｂと固定係止突起部３ｆの間の係合が外れるので、挿入部４ａを下方に引っ張ることにより、当該挿入部４ａがスイッチ側コネクタ３の挿入穴部３ａから外れ、スイッチ側コネクタ３から配線側コネクタ４を取り外すことができるものである。
【実施例２】
【００２７】
図４乃至図７は、例えば家庭用テレビゲームの操作盤に用いる本発明に係る押しボタン式スイッチ１０の詳細な構成を示す。この押しボタン式スイッチ１０のプッシュスイッチ１のスイッチ側コネクタ３と配線側コネクタ４の部分を除いたスイッチ本体部２は、本出願人が出願した特開平２０１４−１８５３４号公報に示されているように、公知構成のものであるからその詳細な説明は省略する。図面によれば、本発明に係る押しボタン式スイッチ１０は、丸筒状を呈したフランジ部１１ａ付のケース本体１１と、このケース本体１１の底板１１ｂに装着された本発明に係る実施例１のプッシュスイッチ１と、ケース本体１１内に上下方向へ摺動可能に収装された筒状の押しボタン部材１２と、ケース本体１１の底板１１ｂに取り付けられるプッシュスイッチ１と、プッシュスイッチ１に設けたスイッチ側コネクタ３とから成る押ボタン式スイッチ１０と、プッシュスイッチ１のスイッチ側コネクタ３に設けた接続用ケース部３ｂに挿入される挿入部４ａを有し、ロック手段６を介してロック及びロック解除可能に接続される接続側コネクタ４を設け、この接続側コネクタ４にハーネス４ｃを接続させると共に、前記ロック手段６を接続用ケース部３ｂ側に設けた固定係止突起部３ｆと、挿入部４ａ側に揺動可能に設けられたところの前記挿入部４ａを接続用ケース部３ｂへ挿入した際に前記固定係止突起部３ｆと係合する可動係止部材５とで構成されている。
【００２８】
押しボタン部材１２は、プッシュスイッチ１の押しボタン部２ａに付与されている弾力により、上方へスライド付勢されている。押しボタン部材１２を押し込むと、押しボタン部２ａが共に下降してスイッチ本体部２内に設けられている接点がＯＮされるか、ＯＦＦされ、手を放すと押しボタン部２ａに作用している弾力により元位置に復帰するものである。押しボタン部材１２の押し込み時には、当該押しボタン部材１２の下端部１２ｄがケース本体１１の底板１１ｂに敷設されたクッション材１３に当接して下降が阻止される。ケース本体１１には、その両側部に係止長孔１１ｃ、１１ｃが設けられ、通常時にはこの係止長孔１１ｃ、１１ｃへ押しボタン部材１２の側部に弾性を付与されて揺動可能に設けられた一対の係止片１２ｂ、１２ｂが、その先端に設けた係止部１２ｃ、１２ｃを係止させていることにより、押しボタン部材１２は、ケース本体１１から上方へ抜け出てくることはない。押しボタン部材１２を押し込むと係止部１２ｃ、１２ｃの部分が係止長孔１１ｃ、１１ｃ内をスライドしてその下降を許容する。
【００２９】
実施例２に記載の押しボタン式スイッチ１０に用いられているプッシュスイッチ１の構成は、実施例１に記載したものと同じであるので、さらなる詳しい説明を省略する。指示記号の同じものは実施例１と同じ部材を示している。
【００３０】
次に、プッシュスイッチ１を押しボタン式スイッチ１０へ組み込む際には、押しボタン部材１２の係止片１２ｃ、１２ｃをケース本体１１の係止長孔１１ｃ、１１ｃから内側へ押し込んで押しボタン部材１２をケース本体１１から上方へ取り外し、次いで、プッシュスイッチ１の接続用ケース部３ｂをスイッチ側コネクタ３の側を下側にしてケース本体１１内へ上側から挿入させ、その底板１１ｂに設けた矩形状の取付孔１１ｄに接続用ケース部３ｂをあてがって押し込むと、プッシュスイッチ１に設けた係止片２ｄ、２ｄが内側に逃げつつスイッチ本体部２が取付孔１１ｄへ押し込まれ、フランジ部２ｃ、２ｃ・・の部分が取付孔１１ｄに突き当たることにより停止し、同時に係止片２ｄ、２ｄの係止部２ｅ、２ｅがフランジ部２ｃ、２ｃ・・との間で底板１１ｂを挟み込んで、プッシュスイッチ１のスイッチ本体部２がスイッチ側コネクタ３を下方へ突出させつつケース本体１１の取付孔１１ｄに係止固定される。
【００３１】
次いで、実施例１に説明したように、スイッチ側コネクタ３に配線側コネクタ４を挿入させると、ワンタッチで配線側コネクタ４をスイッチ側コネクタ３へ接続でき、本発明に係るプッシュスイッチ１を用いた本発明に係る押しボタン式スイッチ１０が完成する。
【実施例３】
【００３２】
次に、図８乃至図１０は、本発明に係るプッシュスイッチ１を用いた押しボタン式スイッチ１０を取り付けた家庭用ゲーム機の操作盤１５を示す。図面によれば、操作盤１５は、ＵＳＢコネクタ１６を有し、このＵＳＢコネクタ１６は、不図示のゲーム機本体、又はゲームソフトをインストールしたコンピュータのＵＳＢ端子に接続される。テレビゲーム機やパソコンを用いてゲームを楽しむゲーム者は、操作盤１５の上面に配置された複合操作スイッチ１７や本発明に係る押しボタン式スイッチ１０、１０・・、さらにはその他の操作スイッチ１８、１９などを操作することにより、テレビ受像機又はディスプレイに映し出されたゲームの画像を操作してゲームを実行するものである。
【００３３】
操作盤１５は、ほぼ全体が硬質の合成樹脂製であって、上側の装甲板１５ａの上面に、揺動及び又は回転可能な操作レバー１７ａを有する上記複合操作スイッチ１７と共に、本発明に係るプッシュスイッチ１を用いた同じく本発明に係る上記押しボタン式スイッチ１０、１０・・・が、狭い領域に複数個隣接して取り付けられている。
【００３４】
実施例３の操作盤１５へ実施例２に記載の本発明に係る押しボタン式スイッチ１０を組み込む際には、押しボタン式スイッチ１０のスイッチ側コネクタ３から、配線側コネクタ４が外されている状態にして、操作盤１５の装甲板１５ａに設けた取付孔１５ｂへ、プッシュスイッチ１のスイッチ側コネクタ３が取り付けられたケース本体１１を取付孔１５ｂの上側から挿入して押し込むと、図１０に示したように、ケース本体１１の係止片１１ｆ、１１ｆの係止部１１ｅ、１１ｅは内側に逃げつつ挿入され、ケース本体１１のフランジ部１１ａが取付孔１５ｂに当たって挿入が停止される。同時に係止片１１ｆ、１１ｆが元位置に戻って係止部１１ｅ、１１ｅが装甲板１５ａをフランジ部１１ａとの間で挟み込み、図６に示したように、上方への抜け出しを阻止された状態で、装甲板１５ａへ取り付けられる。
【００３５】
次いで、このようにして装甲板１５ａへ組み込まれた各押しボタン式スイッチ１０、１０・・に予め組み込まれているスイッチ側コネクタ３，３・・に対し、上記したように配線側コネクタ４、４・・を接続することで、ワンタッチで配線側コネクタ４、４の接続が完了することになるので、従来技術の押しボタン式スイッチに対する配線側端子の接続方法に比べて、操作盤１５の製造コストの削減を図ることができるものである。
【００３６】
とくに家庭用テレビゲーム機の操作盤は、使用しない時の収納スペースの軽減や持ち運び時の嵩張ありを防止するためなどの理由により、薄型化が求められているが、比較例の図１１の（ａ）と（ｂ）に示したように、本発明に係る押しボタン式スイッチ１０は、従来公知構成の配線側コネクタの接続手段と比べて、押しボタン式スイッチの高さ方向の長さを短くすることができることから、操作盤の薄型化にも寄与できるものである。
【００３７】
即ち、図１１（ａ）に示したところの、従来公知構成のプッシュスイッチ２０を用いた押しボタン式スイッチ２１のスイッチ側端子２４、２４に接続された配線側端子２３、２３の下端部から操作盤２２の装甲板２２ａの内頂部までの高さをＨ１とすれば、図１１の(ｂ)に示した実施例１のプッシュスイッチ１を用いた実施例２の押しボタン式スイッチ１０の操作盤１５の装甲板１５ａまでの高さはＨ２であり、一見しただけで短くなっているのが明らかである
【００３８】
したがって、家庭用テレビゲーム機の操作盤１５の厚みを従来の操作盤よりも薄く設計することができる。実施例１のプッシュスイッチ１を用いることで、押しボタン式スイッチ１０の小型化が可能になると共に、従来公知構成のプッシュスイッチ２０を用いた場合には困難であった操作盤１５の薄型化が容易になっている。
【００３９】
さらに、図示を省略するが、本発明に係るプッシュスイッチ１は、公知構成の照光式押しボタン式スイッチにも、従来公知構成のプッシュスイッチに変えて用いることができる。
【００４０】
（その他の実施の形態）
本発明のプッシュスイッチ１、並びにこのプッシュスイッチ１を用いた押しボタン式スイッチ１０、並びに操作盤１５は、上述した実施例で説明した具体的な構成及び用途には限定されない。また、上述した各実施例の構成の一部又は全部を等価な構成に置き換えた別の実施形態でも実施可能である。実施例２では、押しボタン式スイッチ１０に組み込まれたプッシュスイッチ１を説明しているが、本発明のプッシュスイッチ１は、押し釦式スイッチ以外の例えば照光式押ボタン式スイッチにも実施可能である。
【００４１】
また、実施例では、家庭用のテレビゲーム機の操作盤１５に用いられる押しボタン式スイッチ１０の実施例を説明したが、本発明の押しボタン式スイッチ１０は、業務用のテレビゲーム機の操作盤、ゲームソフトをインストールしたパソコン、その他のゲーム機、その他の各種装置の外付け操作盤もしくは組み込み操作盤としても実施可能である。これらの実施形態では、操作盤の形状や構造は、実施例のものとは異なるものとすることが可能であり、そこに用いられる押しボタン式スイッチの数や取付位置にも変更を加えることが可能である。
【産業上の利用可能性】
【００４２】
本発明は以上のように構成したので、種々の用途に使用されるプッシュスイッチにおいてスイッチ側コネクタと配線側コネクタに工夫を凝らすことにより、配線側コネクタをスイッチ側コネクタにワンタッチでしかも強固に接続できるプッシュスイッチ、並びにこのプッシュスイッチを用いた押しボタン式スイッチ、並びにこの押しボタン式スイッチを用いたとくに家庭用テレビゲーム機の操作盤や業務用テレビゲーム機やその他のゲーム機の操作盤として好適に用いられるものである。
【符号の説明】
【００４３】
１  プッシュスイッチ
２  スイッチ本体部
２ａ  押しボタン部
３  スイッチ側コネクタ
３ａ  挿入穴部
３ｂ  接続用ケース部
３ｆ  固定係止突起部
４  配線側コネクタ
５  可動係止部材
５ｂ可動係止突起部
６  ロック手段
１０  押しボタン式スイッチ
１１  ケース本体
１２  押しボタン部材
１５  操作盤
１５ａ  装甲板
【手続補正２】
【補正対象書類名】特許請求の範囲
【補正対象項目名】全文
【補正方法】変更
【補正の内容】
【特許請求の範囲】
【請求項１】
ゲーム機の操作盤に対し着脱可能に取り付けられる筒状を呈したケース本体と、前記ケース本体の上部に押圧可能かつ自動復帰可能に取り付けられる押しボタン部材と、前記ケース本体の底板に取り付けられるプッシュスイッチと、前記プッシュスイッチに設けたスイッチ側コネクタとから成る押ボタン式スイッチにおいて、前記プッシュスイッチのスイッチ側コネクタに設けた接続用ケース部に挿入される挿入部を有し、ロック手段を介してロック及びロック解除可能に接続される接続側コネクタを設け、この接続側コネクタにハーネスを接続させると共に、前記ロック手段を前記接続用ケース側に設けた固定係止突起部と、前記挿入部側に揺動可能に設けられたところの当該挿入部を前記接続用ケース部へ挿入した際に前記固定係止突起部と係合する可動係止部材とで構成したことを特徴とする、押し釦スイッチ。
【請求項２】
前記プッシュスイッチは、スイッチ本体の下部側に一体に設けられた接続用ケース部と、この接続用ケース部内に垂設された複数の雄型のスイッチ側端子と、前記接続用ケース部に着脱可能に挿入される挿入部と、外部配線に接続され前記挿入部に設けたところの前記挿入部を前記接続用ケース部に挿入した際に前記複数のスイッチ側端子を着脱可能に受け入れる複数の雌型の配線側端子と、この配線側端子を前記スイッチ側端子に取り付けた際に前記スイッチ側端子と配線側端子をロックするロック手段とから成り、このロック手段を前記接続用ケース側に設けた固定係止突起部と、前記挿入部側に揺動可能に設けられたところの当該挿入部を前記接続用ケース部へ挿入した際に前記固定係止突起部と係合する可動係止突起部を有する可動係止部材とで構成したことを特徴とする、請求項１に記載の押しボタン式スイッチ。
【請求項３】
前記ロック手段の可動係止部材は、前記挿入部の外側に設けられ、前記固定係止突起部と係合する可動係止突起部と、この可動係止突起部の下方に設けられた指押し部と、この指押し部と前記可動係止突起部との間に設けられ前記挿入部に接続された支持部とを有し、前記可動係止突起部は前記指押し部を押すことにより、前記支持部を支点にして前記固定係止突起部から離脱する方向へ揺動可能であると共に、前記固定係止突起部と係合した前記可動係止部材の前記指押し部は、前記ガイド溝部に収容されることなく前記前側壁部よりも突出していることを特徴とする、請求項１に記載の押しボタン式スイッチ。
【請求項４】
前記ロック手段の前記接続ケース部側には、前記可動係止部材を案内するガイド溝部が設けられていることを特徴とする、請求項１に記載の押しボタン式スイッチ。
【請求項５】
請求項１〜４のいずれか１項に記載の押しボタン式スイッチが、その装甲板に対し着脱可能に取り付けられていることを特徴とする、操作盤。